(57)【特許請求の範囲】
【請求項１】
機内に層状となるように収容した薄板状商品を搬出機構部の駆動によりその一部が外部に突出した所定の取出位置まで搬出するようにした自動販売機において、
通常状態においては駆動許容位置に占位し、前記取出位置における前記薄板状商品の搬出域に突出するとともに前記搬出機構部の駆動を許容する一方、前記薄板状商品が前記取出位置に搬出された場合には該薄板状商品に押されてロック位置に移動し、前記搬出機構部の駆動を阻止する駆動ロック手段を設けたことを特徴とする自動販売機。
【発明の詳細な説明】
【０００１】
【発明の属する技術分野】
本発明は、カード等の薄板状商品を販売するための自動販売機に関するもので、特に、機内に収容した薄板状商品を、その一部が外部に突出する取出位置まで搬出するようにした自動販売機の改良に関する。
【０００２】
【従来の技術】
カード等の薄板状商品を販売する自動販売機としては、機内にマガジン部、検銭部および搬出機構部を備えて構成したものが一般的である。マガジン部は、機内において薄板状商品を積層した状態で収容するためのものである。検銭部は、投入された硬貨が適正なものであるか否かを判断し、適正硬貨を内部に取り込む一方、不適正硬貨を返却する部分である。搬出機構部は、検銭部による判断結果が適正硬貨であった場合に駆動可能状態となって上記マガジン部に収容した薄板状商品を下層のものから順次搬出するものである。
【０００３】
この種の自動販売機では、適正硬貨が投入されると上記搬出機構部が駆動可能状態となる。その後、例えば購入者がダイヤルを回転させたり、レバーを操作することにより、搬出機構部が駆動し、薄板状商品がマガジン部から機外へと搬出されるようになる。
【０００４】
こうした薄板状商品を販売する自動販売機にあっては、機外への取り出し操作を容易にするために、販売時において当該薄板状商品を商品取出口から半分程度突出した取出位置まで搬出するようにしている。すなわち、商品取出口から薄板状商品を半分程度突出させれば、購入者がこれを容易に把持して引き抜くことが可能になり、薄板状商品の取り扱い性が向上するようになる。
【０００５】
【発明が解決しようとする課題】
ところで、自動販売機の商品取出口、並びにマガジン部から商品取出口に至る薄板状商品の通路は、該薄板状商品が一度に複数枚搬出されないようにするため、いずれも薄板状商品が唯一通過できる程度の大きさに形成してある。
【０００６】
従って、先に購入した薄板状商品が上述した取出位置に占位した状態のまま、つまり購入者が商品取出口から薄板状商品を引き抜かない状態のまま、次の購入操作を行った場合には、硬貨を機内に取り込んだ後、搬出機構部は駆動するものの、薄板状商品を搬出できない事態が発生することになり、購入者に対して不利益を与える。さらには、薄板状商品が自動販売機の内部で詰まり、当該薄板状商品や搬出機構部が損傷する等、各種不具合が発生する虞れもある。
【０００７】
本発明は、上記実情に鑑みて、購入者に対して不利益を与えず、しかも、薄板状商品の詰まり、並びにこれに起因する各種不具合の発生を防止することのできる自動販売機を提供することを解決課題とする。
【０００８】
【課題を解決するための手段】
本発明では、機内に層状となるように収容した薄板状商品を搬出機構部の駆動によりその一部が外部に突出した所定の取出位置まで搬出するようにした自動販売機において、通常状態においては駆動許容位置に占位し、前記取出位置における前記薄板状商品の搬出域に突出するとともに前記搬出機構部の駆動を許容する一方、前記薄板状商品が前記取出位置に搬出された場合には該薄板状商品に押されてロック位置に移動し、前記搬出機構部の駆動を阻止する駆動ロック手段を設けるようにしている。
【０００９】
【発明の実施の形態】
以下、実施の形態を示す図面に基づいて本発明を詳細に説明する。
図２０は、本発明に係る自動販売機の一実施形態を示したものである。この自動販売機が販売する薄板状商品は、図２２に示すように、帯紙Ｂで束ねた４枚一組のカード、具体的には、主に児童を販売対象とするキャラクタカードＣであって、長辺が８９ｍｍ程度、短辺が６３ｍｍ程度の矩形状を成し、４枚合計した板厚が約１．５ｍｍとなる比較的硬質の紙製のものである。なお、以下の説明では便宜上、４枚一組に束ねたものを単にキャラクタカードＣという。
【００１０】
この自動販売機１は、図２０に示すように、上下方向に縦長の直方状を成す筐体１０を備えている。この筐体１０は、比較的硬質の合成樹脂によって成形したもので、前面に開口した収容部本体１１と、この収容部本体１１の開口部一側縁に揺動可能に支承させ、該収容部本体１１の開口を開閉する蓋体１２とを備えて構成してある。これら収容部本体１１および蓋体１２には、互いの間に施錠装置１３が設けてあり、両者を施錠することが可能である。
【００１１】
蓋体１２には、硬貨投入口１４、表示用窓孔１５、商品取出用孔１６、操作ダイヤル用孔１７および硬貨返却用孔１８がそれぞれ設けてある。
【００１２】
硬貨投入口１４は、硬貨を投入するための縦長のスリットであり、蓋体１２の高さ方向略中央部において正面向かって右側寄りとなる位置に設けてある。
【００１３】
表示用窓孔１５は、比較的小型の横長矩形状を成す開口であり、硬貨投入口１４の下方域に設けてある。この表示用窓孔１５は、図１３に示すように、蓋体１２の裏面に設けた透明樹脂板１５ａによって閉塞してある。
【００１４】
商品取出用孔１６は、キャラクタカードＣの短辺よりも大きな幅を有し、かつ該キャラクタカードＣの厚さよりも十分大きな高さを有した矩形状を成す開口であり、表示用窓孔１５よりも下方において蓋体１２の正面向かって左側寄りとなる位置に設けてある。
【００１５】
操作ダイヤル用孔１７は、比較的大径の円形を成す開口であり、商品取出用孔１６よりも下方において蓋体１２の正面向かって右側寄りとなる位置に設けてある。
【００１６】
硬貨返却用孔１８は、比較的小型の矩形状を成す開口であり、商品取出用孔１６の下方域に設けてある。
【００１７】
また、蓋体１２には、その裏面において上述した硬貨投入口１４から表示用窓孔１５に亘る部位に切替表示手段２０を設けている。この切替表示手段２０は、購入者に対して自動販売機１が稼働中であるか否かを切替表示するためのもので、ガイド板２１と、ストッパ突当部２２と、表示プレート２３と、揺動アーム２４とを備えている。
【００１８】
ガイド板２１は、図１３および図２０（ｂ）に示すように、硬貨投入口１４よりも僅かに大きなスリット２１ａを有する板状部材であり、このスリット２１ａを硬貨投入口１４に合致させ、かつ蓋体１２の裏面との間に僅かに間隙を確保した状態で当該蓋体１２の裏面における硬貨投入口１４に対応する部位に取り付けてある。
【００１９】
ストッパ突当部２２は、図１３に示すように、蓋体１２の裏面において表示用窓孔１５よりもさらに下方となる位置から筐体１０の内方に向けて突設した部分であり、蓋体１２と一体成形してある。
【００２０】
表示プレート２３は、図１２に示すように、金属製の薄板を適宜折り曲げ成形することにより、表示部２３ａ、邪魔板部２３ｂ、ガイド部２３ｃ、ストッパ部２３ｄおよび連係部２３ｅを一体に成形して構成したものである。
【００２１】
表示部２３ａは、表示用窓孔１５よりも僅かに幅が大きく、かつ該表示用窓孔１５よりも十分大きな高さを有した矩形状を成すもので、その表面に２種類の表示を記載してある。これらの表示は、それぞれ蓋体１２の表示用窓孔１５を通じて択一的に外部に現れるもので、本実施形態の場合、表示部２３ａの下端部において白地に赤色で「うりきれ」と水平方向に沿って記載した第１表示と、この第１表示よりも上方に位置する部位において白地に青色で「販売中」と水平に沿って記載した第２表示と、からなる。
【００２２】
邪魔板部２３ｂは、表示部２３ａの上端中央部から上方に向けて突出した狭幅の矩形状を成す部分であり、上述した硬貨投入口１４の１／２よりも僅かに大きな高さを有している。
【００２３】
ガイド部２３ｃは、邪魔板部２３ｂの上端中央部から裏面側に向けて略直角に屈曲した部分であり、ガイド板２１のスリット２１ａよりも僅かに狭い幅を有して構成してある。
【００２４】
ストッパ部２３ｄは、表示部２３ａの下端から裏面側に向けて略直角に屈曲した部分であり、当該表示部２３ａとほぼ同一の幅を有して構成してある。
【００２５】
連係部２３ｅは、表示部２３ａの下端部一側から表面側に向けて略直角に屈曲し、後述する揺動アーム２４との接続部になる部分である。
【００２６】
この表示プレート２３は、邪魔板部２３ｂを蓋体１２とガイド板２１との間に介在させ、かつガイド部２３ｃをガイド板２１のスリット２１ａに挿通させた状態で、蓋体１２に対して上下方向に移動可能に配設してある。
【００２７】
揺動アーム２４は、図１２および図１３に示すように、蓋体１２の裏面に設けたアームブラケット２５に支持させてあり、蓋体１２の裏面に沿った水平軸心回りに揺動することが可能である。この揺動アーム２４は、蓋体１２に向かう端部に、蓋体１２の裏面に沿って水平に延在する接続軸２６を有しており、該接続軸２６を介して上述した表示プレート２３の接続部に接続してある。
【００２８】
上記のように構成した切替表示手段２０では、通常状態にある場合、図１３および図１６に示すように、表示プレート２３の自重によりストッパ部２３ｄがストッパ突当部２２に当接し、該表示プレート２３の蓋体１２に対する下動が阻止されている。この状態においては、蓋体１２の表示用窓孔１５に第２表示が合致し、透明樹脂板１５ａおよび表示用窓孔１５を通じて「販売中」を表示しているとともに、ガイド部２３ｃの上面が硬貨投入口１４の下端縁に合致している。
【００２９】
これに対して、上述した状態から揺動アーム２４の蓋体１２と反対側に向かう端部（以下、揺動アーム２４の自由端部という）を下動させると、図１８に示すように、重力に抗して表示プレート２３が上動する。この結果、蓋体１２の表示用窓孔１５に第１表示が合致し、透明樹脂板１５ａおよび表示用窓孔１５を通じて「うりきれ」を表示しているとともに、邪魔板部２３ｂが硬貨投入口１４をその下端部から１／２以上に亘る部分を閉塞するようになる。
【００３０】
なお、図２０中の符号１９は硬貨返却用ボタンである。また、図２０中の符号１２ａは販売する商品の広告を表示するための広告表示部である。
【００３１】
一方、上記自動販売機１では、図２０に示すように、筐体１０の収容部本体１１に硬貨処理部３０を設けてある。
【００３２】
硬貨処理部３０は、図２１に示すように、収容部本体１１の下端部に設けた仕切板３１と、この仕切板３１の下方域に設けたコインボックス３２および硬貨返却通路３３とを備えている。
【００３３】
仕切板３１は、収容部本体１１を上下に仕切るための板状部材であり、ほぼ水平となる状態で収容部本体１１に設けてある。この仕切板３１には、正面向かって右側となる位置に適正硬貨取入口３１ａを設けているとともに、正面向かって左側となる位置に不適正硬貨取入口３１ｂを設けてある。
【００３４】
コインボックス３２は、適正硬貨を貯留しておくための箱体である。このコインボックス３２は、上面に開口する直方状を成すもので、仕切板３１における適正硬貨取入口３１ａの下方域に着脱可能に配設してある。
【００３５】
硬貨返却通路３３は、仕切板３１に設けた不適正硬貨取入口３１ｂから手前側に向けて漸次下方に傾斜するように延在し、硬貨返却皿３４に終端する硬貨搬送通路である。この硬貨返却通路３３の終端を構成する硬貨返却皿３４は、上述した蓋体１２の硬貨返却用孔１８を通じて外部に突出する部分である。
【００３６】
また、上記自動販売機１には、図２０に示すように、収容部本体１１における硬貨処理部３０の上方部に搬出機構部１００、硬貨取扱部４０およびマガジン部５０を収容してある。これら搬出機構部１００、硬貨取扱部４０およびマガジン部５０は、共通のユニット枠体２００に設けてあり、ユニットとして一体に取り扱うことが可能である。
【００３７】
搬出機構部１００は、筐体１０の内部においてマガジン部５０に収容させたキャラクタカードＣを外部に搬出するための機構部であり、図５に示すように、ユニット枠体２００の下端部に操作軸１０１および主軸１０２を備えている。
【００３８】
操作軸１０１は、ユニット枠体２００の前後方向に沿って延在し、かつ水平軸心回りに回転可能に配設してある。この操作軸１０１には、図３に示すように、奥側端部にドライブネジ歯車１０３を設けているとともに、手前側端部に操作ダイヤル１０４を設けてある。操作ダイヤル１０４は、上述した蓋体１２の操作ダイヤル用孔１７を通じて外部に突出する部分であり、機外からの操作によって操作軸１０１を自己の軸心回りに回転させることが可能である。
【００３９】
主軸１０２は、ユニット枠体２００の左右方向に沿って延在し、かつ水平軸心回りに回転可能に配設してある。この主軸１０２には、中間部にドリブンネジ歯車１０５を取り付けてある。ドリブンネジ歯車１０５は、上述した操作軸１０１のドライブネジ歯車１０３に歯合しており、操作ダイヤル１０４の操作による操作軸１０１の回転を主軸１０２に伝達することが可能である。
【００４０】
また、上記主軸１０２には、正面右側となる端部においてユニット枠体２００との間に停止位置規定手段１１０および回転規制手段１２０を設けているとともに、正面左側となる端部に回転ストッパ部材（駆動ロック手段）１０６およびドライブネジ歯車１０７を設けてある。
【００４１】
停止位置規定手段１１０は、図６に示すように、カムプレート１１１、カムフォロアアーム１１２およびカムスプリング１１３を備えて構成してある。カムプレート１１１は、外形が繭形を成す板状部材であり、主軸１０２の右側端部に固着してある。カムフォロアアーム１１２は、先端部にカムローラ１１４を備えており、このカムローラ１１４が上記カムプレート１１１の外周面に離接するように、基端部を介してユニット枠体２００に揺動可能に配設してある。カムスプリング１１３は、カムプレート１１１の外周面に対してカムローラ１１４を常時圧接させるように、カムフォロアアーム１１２とユニット枠体２００との間に介在させた押圧手段である。
【００４２】
この停止位置規定手段１１０は、カムローラ１１４がカムプレート１１１の凹所１１１ａに圧接した場合に安定状態となるものであり、カムローラ１１４がカムプレート１１１の凹所１１１ａ以外に圧接した場合にはカムスプリング１１３の押圧力により主軸１０２を適宜方向に回転させ、上述した安定状態に復帰するように機能する。つまり、上記停止位置規定手段１１０は、カムローラ１１４が常にカムプレート１１１の凹所１１１ａに圧接するように主軸１０２の回転停止位置を規定するものである。
【００４３】
回転規制手段１２０は、図７に示すように、ラチェット盤１２１、ラチェット片１２２およびラチェットバネ１２３を備えて構成してある。ラチェット盤１２１は、主軸１０２において上述した仕切板３１における適正硬貨取入口３１ａの上方に位置する部位に一対の円板状プレートを固着することによって構成したものである。ラチェット盤１２１には、円板状プレートの相互間に、それぞれ所定枚数の硬貨を貯留することのできる硬貨貯留部１２４を一対設けてある。各硬貨貯留部１２４は、ラチェット盤１２１の外周面において互いに１８０°ずれた位置にそれぞれ硬貨受入口１２４ａを有しており、各硬貨受入口１２４ａを通じて内部に硬貨を出し入れすることが可能である。また、ラチェット盤１２１の外周面には、各硬貨受入口１２４ａの一側にストッパ用突起１２５を設けてあるとともに、一方の硬貨受入口１２４ａから他方の硬貨受入口１２４ａに至る部分に多数の反転防止用突起１２６を設けてある。ラチェット片１２２は、先端が略直角に屈曲したアーム部材であり、この屈曲した先端部分がラチェット盤１２１の外周面に離接するように、基端部を介してユニット枠体２００に揺動可能に配設してある。ラチェットバネ１２３は、ラチェット盤１２１の外周面に対してラチェット片１２２の先端部を常時圧接させるように、該ラチェット片１２２とユニット枠体２００との間に介在させた押圧手段である。なお、ラチェット盤１２１の硬貨受入口１２４ａは、上述した停止位置規定手段１１０が安定状態にある場合、一方が鉛直上方に位置するように構成してある。
【００４４】
この回転規制手段１２０では、図７（ｂ）に示すように、通常状態にある場合、硬貨受入口１２４ａが鉛直上方に位置した状態から主軸１０２を一方方向（図中の矢印Ｘ）に向けて回転させようとすると、ラチェット片１２２とストッパ用突起１２５とが互いに当接することによってこれが阻止されるとともに、主軸１０２を他方方向（図中の矢印Ｙ）に向けて回転させようとすると、ラチェット片１２２と反転防止用突起１２６とが互いに当接することによってこれが阻止されることになる。
【００４５】
しかしながら、硬貨受入口１２４ａを通じて硬貨貯留部１２４に所定枚数の硬貨が受け入れられると、図８（ａ）〜図８（ｃ）に示すように、最後に受け入れた硬貨の外周面がストッパ用突起１２５よりも外方に突出するようになる。この結果、この状態から主軸１０２を矢印方向に向けて回転させようとすると、ラチェット片１２２がこの硬貨の外周面に倣って移動することになるため、当該主軸１０２を同方向へ、ラチェット片１２２が次のストッパ用突起１２５に当接するまで回転させることが可能になる。つまり、上記回転規制手段１２０は、ラチェット盤１２１に所定枚数の硬貨が受け入れられた場合にのみ主軸１０２を１８０°だけ回転許容状態にするものである。なお、上述した硬貨貯留部１２４に貯留できる硬貨の枚数は、設定ネジの螺合位置に応じて適宜変更することが可能であり、本実施形態の場合、唯一の硬貨を受け入れるように設定してある。
【００４６】
回転ストッパ部材１０６は、図１および図３に示すように、主軸１０２の外周域に、その軸心方向に沿った一対のストッパ面１０６ａを構成するためのもので、当該主軸１０２の左端部に固着してある。
【００４７】
ドライブネジ歯車１０７は、図３に示すように、操作軸１０１と回転ストッパ部材１０６との間に位置する部位に固着した歯車である。このドライブネジ歯車１０７には、その奥側部においてギアボックス１３０に歯合している。
【００４８】
ギアボックス１３０は、上下方向に沿った出力軸１３１を備えたもので、上記ドライブネジ歯車１０７の回転を適宜増速するとともに、回転方向を適宜変換した後に、当該出力軸１３１から出力するものである。具体的には、操作軸１０１を１８０°回転させた場合に出力軸１３１がその軸心回りに３６０°回転するように構成してある。
【００４９】
このギアボックス１３０の出力軸１３１には、送出アーム１３２を取り付けてある。送出アーム１３２は、出力軸１３１から径外方向に延在するもので、その先端上部に送出ローラ１３３を上下方向に沿った軸心回りに回転可能に支承している。なお、この送出アーム１３２は、上述した停止位置規定手段１１０が安定状態にある場合、図４中の実線で示すように、送出ローラ１３３を支承した先端部がギアボックス１３０の出力軸１３１よりも前方側に位置した状態で停止するように構成してある。
【００５０】
一方、上記搬出機構部１００は、図１および図３に示すように、ユニット枠体２００における上述したギアボックス１３０の上方域に一対のガイドシャフト１４０を備えている。これらガイドシャフト１４０は、横断面が円形状を成し、ユニット枠体２００の前後方向に沿って互いに平行、かつ略水平方向に沿って延在したもので、互いの間にスライド部材１４１を移動可能に支承している。すなわち、このスライド部材１４１は、その両側にそれぞれ２対のガイドローラ１４２を具備したブロック状部材であり、各対を成すガイドローラ１４２の間にガイドシャフト１４０を介在させることにより、当該ガイドシャフト１４０の延在方向に沿ってスライド移動することが可能である。
【００５１】
上記スライド部材１４１には、その下面に係合スロット１４３を設けてある。係合スロット１４３は、図４に示すように、スライド部材１４１の下面においてその前後方向のほぼ中央となる位置に左右方向に沿って形成したもので、その内部に上述した送出アーム１３２の送出ローラ１３３が挿入してある。
【００５２】
スライド部材１４１の上面は、図９に示すように、その幅がキャラクタカードＣよりも僅かに小さく、かつその長さがキャラクタカードＣよりも僅かに大きく構成してある。このスライド部材１４１の上面には、その前端部に連絡部１４４を構成しているとともに、その前後方向のほぼ中央となる位置に当接部１４５を設けてある。連絡部１４４は、後述する商品搬出通路１５０との間を連絡するためのもので、後端部よりも幅が狭く、かつその中央部に切欠１４４ａを有している。当接部１４５は、スライド部材１４１の前端部に、前端に向けて漸次下方に低くなる低面部１４６を形成することによって構成した段部であり、キャラクタカードＣの板厚よりも僅かに小さな高さを有している。
【００５３】
また、スライド部材１４１の上面には、多数の溝１４７を形成してある。これらの溝１４７は、図９および図１０に示すように、それぞれスライド部材１４１のスライド方向に沿って形成したもので、スライド部材１４１の上面全域に亘って設けてある。なお、図９中の符号１４８は、スライド部材１４１の上面において当接部１４５と低面部１４６との間に設けたゴミ逃げ用溝である。
【００５４】
さらに、上記搬出機構部１００は、図１に示すように、ユニット枠体２００におけるスライド部材１４１の前方域に商品搬出通路１５０を備えている。商品搬出通路１５０は、スライド部材１４１の上面延長上に位置し、ユニット枠体２００の前端部に設けた商品取出口１５１で終端する通路である。この商品搬出通路１５０の終端を構成する商品取出口１５１は、上述した蓋体１２の商品取出用孔１６を通じて外部に露出する部分である。
【００５５】
この商品搬出通路１５０には、図９に示すように、その上面に多数の溝１５２を設けてあるとともに、その幅方向の中央部にレバー用スロット１５３が設けてある。多数の溝１５２は、上述したスライド部材１４１のものと同様に、スライド部材１４１のスライド方向に沿って形成したもので、商品取出用通路の上面全域に亘って設けてある。レバー用スロット１５３は、商品搬出通路１５０の延在方向に沿って形成した溝状の開口である。
【００５６】
このレバー用スロット１５３の下方域には、図１に示すように、ストッパレバー（駆動ロック手段）１６０およびカード検知レバー（駆動ロック手段）１６１を設けてある。
【００５７】
ストッパレバー１６０は、ユニット枠体２００に支承させたレバー部材であり、その先端部を、主軸１０２に設けた回転ストッパ部材１０６の回転移動域に出没させる状態で左右方向に沿った水平軸回りに揺動することが可能である。このストッパレバー１６０には、ユニット枠体２００との間に復帰バネ１６２を介在してある。復帰バネ１６２は、ストッパレバー１６０の先端部が常時回転ストッパ部材１０６の回転移動域外に位置するように当該ストッパレバー１６０に作用するものである。
【００５８】
カード検知レバー１６１は、円筒状を成すボス部１６１ａと、このボス部１６１ａの周面中央部から径外方向に向けて延在するカード検知部１６１ｂと、カード検知部１６１ｂの先端部から一旦略直角方向に延在した後、ボス部１６１ａ側に向けて僅かに屈曲して延在した作動部１６１ｃとを有して構成したもので、ボス部１６１ａを介して商品搬出通路１５０の基端部下方に左右方向に沿った水平軸心回りに揺動可能に配設してある。図からも明らかなように、カード検知レバー１６１の作動部１６１ｃは、カード検知部１６１ｂに対して十分な長さを有するもので、その先端部がストッパレバー１６０の揺動域に位置しており、当該ストッパレバー１６０に当接している。このカード検知レバー１６１は、上述した復帰バネ１６２によってストッパレバー１６０が回転ストッパ部材１０６の回転移動域外に位置している場合、該復帰バネ１６２の押圧力によって上方側に揺動し、カード検知部１６１ｂがレバー用スロット１５３を介して商品搬出通路１５０に突出するようになる。
【００５９】
なお、図５中の符号１７０は、メカニカルカウンタである。このメカニカルカウンタ１７０は、停止位置規定手段１１０においてカムフォロアアーム１１２との間に作動ロッド１７１を介在させることにより、該カムフォロアアーム１１２の揺動によって作動するものである。また、図１中の符号１８０は、商品取出口１５１の開口を開閉可能に閉塞する閉塞カバーである。さらに、図１中の符号１９０は、スライド部材１４１における連絡部１４４の切欠１４４ａに対応する部位に設けた反り防止部材である。
【００６０】
一方、上述した搬出機構部１００とユニットを構成する硬貨取扱部４０は、蓋体１２の硬貨投入口１４から投入された硬貨を筐体１０の内部において適宜取り扱う部分であり、図２０（ｂ）に示すように、ユニット枠体２００の正面向かって右側となる部分に設けてある。
【００６１】
この硬貨取扱部４０は、図５に示すように、硬貨導入通路４１、検銭部４２、適正硬貨搬送通路４３および不適正硬貨搬送通路４４を備えて構成してある。
【００６２】
硬貨導入通路４１は、蓋体１２の硬貨投入口１４に対応する位置に硬貨導入口４１ａを有した通路であり、硬貨投入口１４から投入された硬貨をこの硬貨導入口４１ａを介して受け入れた後、当該硬貨をその自重により後述する検銭部４２に搬送するものである。
【００６３】
検銭部４２は、硬貨導入通路４１によって硬貨が搬送された場合に、その外形や材質に基づいて適正であるか否かを判定する部分であり、本実施形態では、１００円硬貨が投入された場合にこれを適正硬貨と判定するものを適用している。この検銭部４２は、硬貨が適正であると判定した場合にこれを適正硬貨排出口４２ａから排出する一方、硬貨が不適正であると判定した場合にこれを不適正硬貨排出口４２ｂから排出するように機能する。なお、検銭部４２を通過できない大径の不適正硬貨に対しては、硬貨返却用ボタン１９の操作により検銭部４２を開成し、不適正硬貨排出口４２ｂに導くように構成してある。
【００６４】
適正硬貨搬送通路４３は、検銭部４２の適正硬貨排出口４２ａから排出された硬貨、つまり適正であると判定された硬貨を、上述したラチェット盤１２１において鉛直上方に位置する硬貨受入口１２４ａまで案内する通路である。
【００６５】
不適正硬貨搬送通路４４は、検銭部４２の不適正硬貨排出口４２ｂから排出された硬貨、つまり不適正であると判定された硬貨を、上述した仕切板３１の不適正硬貨取入口３１ｂまで案内する通路である。
【００６６】
さらに、上述した搬出機構部１００および硬貨取扱部４０とともにユニットを構成するマガジン部５０は、筐体１０の内部においてキャラクタカードＣを収容しておくための部分であり、図２０（ｂ）に示すように、ユニット枠体２００の正面向かって左側となる部分に設けてある。
【００６７】
このマガジン部５０は、図１４に示すように、スライド部材１４１の上方域にマガジン５１を備えている。マガジン５１は、横断面が矩形で、前面に開口した筒状を成すもので、その内部に商品収容域５２を構成している。この商品収容域５２は、スライド部材１４１の上面、商品搬出通路１５０の基端部および反り防止部材１９０をカード載置面とするもので、多数のキャラクタカードＣをそれぞれの長辺が前後に沿う姿勢で上下方向に沿って積層収容することが可能である。
【００６８】
上記マガジン５１には、積層収容したキャラクタカードＣの最上部に搭載するためのカード用錘５３が用意されている。カード用錘５３は、マガジン５１の内部に収容できる大きさに形成したものである。このカード用錘５３には、その前後両端部に立壁５３ａを設けているとともに、その上面から上方および前方に突出するようにツマミ５３ｂが設けてある。
【００６９】
また、上記マガジン部５０は、マガジン５１の下端部にカード規制板５４を備えているとともに、該マガジン５１において正面向かって右側となる側縁部にストロークガイド５５、ストローク部材６０および係合部材５６を備えている。
【００７０】
カード規制板５４は、商品収容域５２と商品搬出通路１５０との間に位置した板状部材であり、その最下端部と商品搬出通路１５０の上面との間に、キャラクタカードＣ一枚分以上、二枚分未満の板厚に相当する間隙を確保した状態で上記マガジン５１に取り付けてある。図１１からも明らかなように、このカード規制板５４の下端縁は、キャラクタカードＣの短辺においてその中央部および両端部に対応する部位にそれぞれ逃げ部５４ａ，５４ｂを設けてある。これら逃げ部５４ａ，５４ｂは、商品搬出通路１５０の上面との間隙が、ほぼキャラクタカードＣ二枚分の板厚に相当する距離となるように切り欠いて構成した部分である。
【００７１】
ストロークガイド５５は、図１４に示すように、横断面がＬ字状を成す長尺部材であり、その一方の壁に長手方向に沿った上下一対のガイド溝５５ａを有しており、これらガイド溝５５ａがマガジン５１の前方域において鉛直方向に沿って延在する状態で当該マガジン５１に取り付けてある。図からも明らかなように、各ガイド溝５５ａは、それぞれがキャラクタカードＣの板厚よりも十分大きな長さを有して形成してある。
【００７２】
ストローク部材６０は、ストローク部本体６１と可動ストローク体６２と押圧バネ６３と係合体６４を備えて構成したものである。
【００７３】
ストローク部本体６１は、上下一対の対向壁６１ａを有し、これら対向壁６１ａ間に鉛直方向に沿った支持軸６５を備えたものである。このストローク部本体６１は、ストロークガイド５５のガイド溝５５ａを介してストロークガイドネジ６６を螺合させることにより、マガジン５１に対して上下方向にストローク移動することが可能である。図１６および図１８からも明らかなように、ストローク部本体６１は、蓋体１２を閉塞した状態において上方に移動させた場合、上述した切替表示手段２０の揺動アーム２４から離隔した上方域に配置される一方、下方に移動させた場合には当該揺動アーム２４の自由端部に当接し、該揺動アーム２４を下動させるように作用する。
【００７４】
可動ストローク体６２は、図１４に示すように、基部６２ａと基部６２ａの先端から略直角に屈曲した突出部６２ｂとを有して構成したものである。基部６２ａは、ストローク部本体６１とほぼ同一の長さを有しているものの、突出部６２ｂは、基部６２ａの下端よりもさらに下方に向けて延在している。この可動ストローク体６２は、基部６２ａの基端を介してストローク部本体６１の支持軸６５に揺動可能に支承してあり、この支持軸６５の軸心回りに揺動することによりマガジン５１の前面開口を通じて突出部６２ｂを、商品収容域５２の外周域前方から進退移動させることが可能である。
【００７５】
押圧バネ６３は、可動ストローク体６２の突出部６２ｂが常時マガジン５１の前面開口から商品収容域５２に突出するように、ストローク部本体６１に対して可動ストローク体６２を押圧する押圧手段である。
【００７６】
係合体６４は、可動ストローク体６２の基部６２ａから突出部６２ｂとは反対の方向に突出したもので、その先端上縁部に係合舌片部６４ａを有している。係合舌片部６４ａは、支持軸６５側に向けて略直角方向に突出した部分であり、水平方向に沿って延在している。この係合体６４は、その下縁部に切欠６４ｂを有しており、該切欠６４ｂを介して可動ストローク体６２をユニット枠体２００に係合させることが可能である。
【００７７】
係合部材５６は、ストロークガイド５５の上端部から前方に向けて突出したもので、その先端上縁部に係合部５６ａを有している。係合部５６ａは、正面向かって左側に向けて略直角方向に突出した部分であり、水平方向に沿って延在している。
【００７８】
この係合部材５６は、図１５に示すように、上述したストローク部材６０が上方に位置している状態において、可動ストローク体６２の突出部６２ｂがマガジン５１の商品収容域５２から退行している場合、係合部５６ａの上面に係合体６４の係合舌片部６４ａが当接するようになり、ストローク部材６０の下方への移動を阻止するように機能する。
【００７９】
一方、上述した状態から可動ストローク体６２の突出部６２ｂがマガジン５１の商品収容域５２に進出移動した場合には、図１７に示すように、係合体６４の係合舌片部６４ａとの当接状態が解除され、ストローク部材６０の自重による下方への移動を許容するように機能する。
【００８０】
上記のように構成した自動販売機１では、マガジン５１の商品収容域５２にキャラクタカードＣを積層収容させた後、蓋体１２を閉塞し、さらに蓋体１２と収容部本体１１とを施錠した状態が販売待機状態となる。
【００８１】
この場合、ストローク部本体６１に対して可動ストローク体６２を回転させ、図１９に示すように、係合体６４に設けた切欠６４ｂをユニット枠体２００の適宜箇所に係合させれば、当該可動ストローク体６２の突出部６２ｂが押圧バネ６３の押圧力に抗してマガジン５１の商品収容域５２から退避した状態に保持されるため、キャラクタカードＣの積層収容作業を容易に行うことが可能である。
【００８２】
また、上述した販売待機状態にあっては、停止位置規定手段１１０の作用によって搬出機構部１００の停止位置が規定され、送出アーム１３２がその先端部をギアボックス１３０の出力軸１３１よりも前方側に位置した状態で停止しているため、図１（ａ）に示すように、スライド部材１４１がその最前端位置で停止した状態にある。従って、マガジン５１の商品収容域５２は、そのカード載置面が、スライド部材１４１の上面、商品搬出通路１５０の基端部および反り防止部材１９０によって構成され、積層収容された最下方のキャラクタカードＣに対して接触面積を大きくとることができることになり、当該キャラクタカードＣが変形するような事態を可及的に防止することができる。因に、上述した状態においては、スライド部材１４１の上面に設けた当接部１４５がキャラクタカードＣのほぼ中央に当接することになる。しかしながら、この当接部１４５は、キャラクタカードＣの板厚よりも僅かに小さな高さを有して構成したものであるため、キャラクタカードＣを変形させるには至らない。
【００８３】
さらに、ストッパレバー１６０が主軸１０２に設けた回転ストッパ部材１０６の回転移動域外に位置しているとともに、カード検知レバー１６１が上方に揺動してカード検知部１６１ｂを商品搬出通路１５０に突出させた位置に配置された状態（駆動許容位置）にある。
【００８４】
マガジン５１の商品収容域５２に所定枚数のキャラクタカードＣを積層収容した後においては、その最上部にカード用錘５３を搭載し、さらに可動ストローク体６２とユニット枠体２００との係合状態を解除させ、図１５に示す状態にセットすればよい。
【００８５】
この状態においては、可動ストローク体６２の突出部６２ｂが押圧バネ６３の押圧力によりマガジン５１の商品収容域５２に進出移動するように押圧される。しかしながら、当該可動ストローク体６２の突出部６２ｂは、カード用錘５３の前方側立壁５３ａや積層収容したキャラクタカードＣの短辺に当接し、商品収容域５２へ進出移動することができない。
【００８６】
この結果、可動ストローク体６２に設けた係合体６４の係合舌片部６４ａが係合部５６ａの上面に当接するようになり、ストローク部材６０の下方への移動が阻止されることになる。従って、上述した状態から蓋体１２を閉塞した場合には、ストローク部材６０が切替表示手段２０の揺動アーム２４から離隔した位置に配置されことになり、図１６に示すように、蓋体１２の表示用窓孔１５に第２表示が合致し、透明樹脂板１５ａおよび表示用窓孔１５を通じて「販売中」を表示するとともに、ガイド部２３ｃの上面が硬貨投入口１４の下端縁に合致して当該硬貨導入口４１ａが硬貨投入許容状態となる。
【００８７】
なお、この販売待機状態においては、上述した回転規制手段１２０の作用により主軸１０２の回転が阻止されているため、そのまま操作ダイヤル１０４を操作しても、搬出機構部１００が動作することはない。
【００８８】
上述した販売待機状態から、硬貨投入口１４を通じて硬貨が投入されると、当該硬貨が硬貨導入通路４１を通じて検銭部４２に搬送され、この検銭部４２において適正硬貨であるか否か、つまり１００円硬貨であるか否かが判定される。投入された硬貨が１００円でない場合には、この硬貨が検銭部４２の不適正硬貨排出口４２ｂから排出され、さらに不適正硬貨搬送通路４４を通じて不適正硬貨取入口３１ｂまで案内された後、最終的に硬貨返却通路３３を通じて硬貨返却皿３４に返却されることになる。
【００８９】
一方、投入された硬貨が１００円硬貨である場合には、検銭部４２の適正硬貨排出口４２ａから排出され、さらに適正硬貨搬送通路４３を通じてラチェット盤１２１の硬貨受入口１２４ａに案内され、その硬貨貯留部１２４に受け入れられることになる。
【００９０】
この状態においては、上述した回転規制手段１２０による主軸１０２の回転阻止状態が解除されることになり、機外に突出した操作ダイヤル１０４の操作により、操作軸１０１、ドライブネジ歯車１０３およびドリブンネジ歯車１０５を介して主軸１０２を一方方向へ回転させることができるようになる。この場合、ラチェット盤１２１が１８０°回転すると、再び回転規制手段１２０によって主軸１０２の回転が阻止されることになる。この結果、適正硬貨を１個投入することにより、操作ダイヤル１０４が１８０°だけ回転可能状態となり、これに伴って主軸１０２を一方方向へ回転させることが可能となる。
【００９１】
なお、ラチェット盤１２１が１８０°回転した時点で硬貨貯留部１２４に受け入れられていた１００円硬貨は、重力の作用により硬貨受入口１２４ａを通じて落下し、仕切板３１に設けた適正硬貨取入口３１ａを通じてコインボックス３２に集積されることになる。また、この間のカムフォロアアーム１１２の揺動により作動ロッド１７１を介してメカニカルカウンタ１７０が作動し、当該メカニカルカウンタ１７０の表示が＋１される。
【００９２】
操作ダイヤル１０４の操作によって主軸１０２が回転すると、この主軸１０２の回転がドライブネジ歯車１０７およびギアボックス１３０に順次伝達され、その出力軸１３１に設けた送出アーム１３２が上下方向に沿った軸心回りに１回転することになる。
【００９３】
送出アーム１３２の回転は、その送出ローラ１３３およびスライド部材１４１に設けた係合スロット１４３の協働により、当該スライド部材１４１のスライド移動に変換されることになる。この場合、上述したように、送出アーム１３２は、販売待機状態において送出ローラ１３３を支承した先端部が、ギアボックス１３０の出力軸１３１よりも前方側に位置した状態で停止している。従って、スライド部材１４１は、図２に示すように、一旦後方へ向けてスライドし、その後、前方へ向けてスライドするようになる。
【００９４】
スライド部材１４１が後方へスライドした際、その上面に設けた当接部１４５は、キャラクタカードＣの後端縁を通過する。従って、その後のスライド部材１４１の前方へのスライドの際に、当接部１４５が最下方に積層収容されたキャラクタカードＣの後端縁に当接することになり、当該キャラクタカードＣがスライド部材１４１とともに前方へ移動することになる。すなわち、図１（ｂ）に示すように、キャラクタカードＣがマガジン５１の商品収容域５２から商品搬出通路１５０へ搬出され、その前端部分が商品取出口１５１から突出した取出位置で停止することになる。この結果、購入者は、商品取出口１５１から突出した部分を把持してキャラクタカードＣを引き抜くことが可能になり、その取り扱い性が向上する。
【００９５】
ここで、この自動販売機１によれば、スライド部材１４１のスライドの際にその当接部１４５にキャラクタカードＣの後端縁を当接させてこれを押し出し搬出するようにしているため、つまり摩擦力によらずにキャラクタカードＣを搬出させるようにしているため、スライド部材１４１の材質を選択したり、商品変更に伴って材質を再選択するといった、摩擦力を設定するための煩雑な作業が不要となり、当該キャラクタカードＣの搬出を容易に、かつ確実に行うことが可能になる。
【００９６】
しかも、スライド部材１４１には、その上面に低面部１４６を形成してある。この低面部１４６は、上述したように先端に向けて漸次下方に低くなるものであるから、図２（ａ）に示すように、温度や湿度の影響により、仮にキャラクタカードＣが長辺方向において上方に向けて凸となるように反っている場合はもちろん、たとえ図２（ｂ）に示すように、下方に向けて凸となるように反っていた場合であっても、確実に最下方に積層収容された１枚のみを搬出することができる。つまり、この自動販売機１においては、図２（ｂ）に示すように、キャラクタカードＣの凸部分が低面部１４６に位置するため、スライド部材１４１の上面に対して当該キャラクタカードＣの後端縁が相対的に近接することになり、この後端縁と当接部１４５とが確実に当接し、その搬出も確実なものとなる。
【００９７】
さらに、商品搬出通路１５０の基端部に設けたカード規制板５４は、その下端縁の中央部および両端部にそれぞれ逃げ部５４ａ，５４ｂを設けてある。従って、キャラクタカードＣにおいてその短辺方向に反りが発生していた場合であっても、確実に最下方に積層収容された１枚のみを搬出することができる。つまり、図１１（ａ）に示すように、キャラクタカードＣが下方に向けて凸となるように反っていた場合には、カード規制板５４の両端部に設けた逃げ部５４ｂによって当該キャラクタカードＣとの干渉が回避され、一方、図１１（ｂ）に示すように、キャラクタカードＣが上方に向けて凸となるように反っていた場合には、カード規制板５４の中央部に設けた逃げ部５４ａによって当該キャラクタカードＣとの干渉が回避され、さらに図１１（ｃ）に示すように、キャラクタカードＣがねじれるように反っていた場合には、これらの逃げ部５４ａ，５４ｂによって当該キャラクタカードＣとの干渉が回避されることになり、いずれの状態にあってもキャラクタカードＣの確実な搬出が可能になる。
【００９８】
また、上述したようにスライド部材１４１および商品搬出通路１５０には、それぞれの上面に多数の溝１４７，１５２を設けてある。従って、スライド部材１４１のスライドの際、特にスライド部材１４１が後方へ向けてスライドする際に、これら多数の溝１４７，１５２の作用により、キャラクタカードＣとの摩擦力が低減されることになり、搬出機構部１００の各部に過負荷が加わるような虞れがない。このため、過負荷に起因した当該搬出機構部１００の不具合発生を未然に防止することができるようになる。なお、スライド部材１４１の上面にはキャラクタカードＣとの摺接によってゴミが付着堆積するようになる。しかしながら、上述したようにスライド部材１４１の上面にゴミ逃げ用溝１４８を設けているため、当該ゴミがこのゴミ逃げ用溝１４８に落ち込むようになり、ゴミの影響によってキャラクタカードＣの後端縁と当接部１４５との当接状態が損なわれる虞れもない。
【００９９】
ところで、キャラクタカードＣが商品搬出通路１５０の取出位置に搬出された状態においては、図１（ｂ）に示すように、当該キャラクタカードＣがカード検知部１６１ｂを押圧することにより、カード検知レバー１６１が下方側に揺動し、その作動部１６１ｃを介してストッパレバー１６０の先端部が、主軸１０２に設けた回転ストッパ部材１０６の回転移動域に突出した状態（ロック位置）に保持される。この状態においては、１００円硬貨を投入した後に、操作ダイヤル１０４を介して主軸１０２を回転させようとしても、回転ストッパ部材１０６がストッパレバー１６０の先端部に当接するため、当該主軸１０２を回転することができず、キャラクタカードＣの搬出も行われない。
【０１００】
一方、商品取出口１５１からキャラクタカードＣを引き抜けば、図１（ａ）に示すように、復帰バネ１６２の押圧力によりストッパレバー１６０が回転ストッパ部材１０６の回転移動域外に位置し、さらにこの復帰バネ１６２の押圧力によってカード検知レバー１６１が上方側に揺動し、そのカード検知部１６１ｂを商品搬出通路１５０に突出させた状態（駆動許容位置）に復帰するようになる。従って、この状態では、１００円硬貨が既に投入されている場合、あるいは新たに１００円硬貨が投入された場合、操作ダイヤル１０４を介して主軸１０２を回転させ、再びキャラクタカードＣを搬出することができるようになる。
【０１０１】
これらの結果、上記自動販売機１によれば、先に購入したキャラクタカードＣを取出位置から取り出さない限り、次の購入操作を行うことができないことになり、キャラクタカードＣが内部で詰まる、キャラクタカードＣや搬出機構部１００が損傷する、等々の不具合が発生する虞れがない。
【０１０２】
上述した動作が繰り返し行われると、キャラクタカードＣの減少に伴ってカード用錘５３がマガジン５１の商品収容域５２において順次下動するようになる。しかしながら、ストローク部材６０に関しては、可動ストローク体６２の突出部６２ｂが、カード用錘５３の前方側立壁５３ａや積層収容したキャラクタカードＣの短辺に当接している限り、商品収容域５２へ進出移動することができないため、係合体６４の係合舌片部６４ａが係合部５６ａの上面に当接した状態に保持され、下方への移動が継続的に阻止されている。従って、切替表示手段２０による表示も「販売中」のままとなり、硬貨導入口４１ａも硬貨投入許容状態のままとなる。
【０１０３】
一方、マガジン５１の商品収容域５２においてキャラクタカードＣがさらに減少し、該キャラクタカードＣに搭載したカード用錘５３の前方側立壁５３ａが可動ストローク体６２の突出部６２ｂよりも下位となると、図１７に示すように、可動ストローク体６２の突出部６２ｂが押圧バネ６３の押圧力によりマガジン５１の商品収容域５２に進出移動することになり、係合体６４の係合舌片部６４ａと係合部５６ａの上面との当接状態が解除され、ストローク部材６０が一気に下動するようになる。この結果、揺動アーム２４の自由端部がストローク部材６０によって下動され、図１８に示すように、重力に抗して表示プレート２３が瞬時に上動するようになり、蓋体１２の表示用窓孔１５に第１表示が合致し、透明樹脂板１５ａおよび表示用窓孔１５を通じて「うりきれ」を表示するとともに、邪魔板部２３ｂが硬貨投入口１４をその下端部から１／２以上に亘る部分を閉塞する。すなわち、板厚が約１．５ｍｍというキャラクタカードＣを販売する自動販売機１にあっても、切替表示手段２０による表示を瞬時に切り替えることができるようになり、購入者に対する表示も極めて明確なものとなる。
【０１０４】
しかも、上述したストローク部材６０は、マガジン５１の商品収容域５２に対してその外周域前方から進出移動するものであるため、全てのキャラクタカードＣがなくなる以前においても切替表示手段２０による表示を切り替えることが可能である。つまり、カード用錘５３における前方側立壁５３ａの高さを適宜変更することにより、あるいは可動ストローク体６２における突出部６２ｂの長さを適宜変更することにより、ストローク部材６０を作動させる位置を容易に変更することが可能である。例えば、マガジン５１の商品収容域５２に５〜６枚のキャラクタカードＣを残した時点で切替表示手段２０による表示を「販売中」から「うりきれ」に切り替えるようにカード用錘５３の前方側立壁５３ａの高さを設定すれば、切替表示手段２０による表示の切り替えが実施される直前において１００円硬貨が３〜４枚連続投入された場合であっても、すべての硬貨に対してキャラクタカードＣを搬出することができるようになり、購入者に対して不利益を与える虞れがない。
【０１０５】
切替表示手段２０による表示が「うりきれ」になった場合には、蓋体１２を開成させ、マガジン５１の商品収容域５２にキャラクタカードＣを補充するとともに、ストローク部材６０を再びセットする。さらにコインボックス３２に集積された硬貨を回収した後に蓋体１２を閉塞して施錠すれば、再び上述した販売待機状態に復帰することになる。
【０１０６】
なお、上述した実施の形態では、紙製のキャラクタカードを販売する自動販売機を例示しているが、樹脂製カード等、薄板状のものを販売するものであっても構わない。また、スライド部材のスライド移動によって薄板状商品の搬出を行う自動販売機を例示しているが、本発明はこれに限定されず、例えば回転する摩擦ローラの駆動によって薄板状商品の搬出を行うようにした自動販売機にももちろん適用することが可能である。
【０１０７】
また、上述した実施の形態では、主軸の回転をロックすることによって搬出機構部の駆動を阻止するようにしているが、搬出機構部の動力伝達系であれば、いかなる箇所をロックするようにしても構わない。なお、上述した実施の形態の如く、ラチェット盤による回転規制手段を適用した自動販売機にあっては、適正硬貨が当該ラチェット盤に搬送されないように構成することによっても駆動ロック手段を構成することが可能である。また、薄板状商品が取出位置にあるか否かを検出する部分と、搬出機構部の駆動をロックする部分とを異なる部材によって構成するようにしているが、これらを一体に構成するようにしてもよい。つまり、上述した実施の形態では、ストッパレバー１６０とカード検知レバー１６１とを一体に構成しても構わない。
【０１０８】
【発明の効果】
以上説明したように、本発明によれば、先に購入した薄板状商品を取出位置から取り出さない限り、駆動ロック手段の作用によって次の購入操作を行うことができない。従って、搬出機構部が駆動した場合には、薄板状商品を確実に搬出することができるようになり、薄板状商品が自動販売機の内部で詰まる、薄板状商品や搬出機構部が損傷する、等々の不具合が発生する虞れがない。
【図面の簡単な説明】
【図１】本発明に係る自動販売機に適用する搬出機構部の一実施形態を示したもので、（ａ）は販売待機状態を示す断面側面図、（ｂ）は薄板状商品を取出位置まで搬出した状態を示す断面側面図である。
【図２】（ａ）および（ｂ）はそれぞれ図１に示した搬出機構部の動作状態を示す断面側面図である。
【図３】図１に示した搬出機構部の要部分解斜視図である。
【図４】スライド部材と送出アームとの係合状態を示す断面平面図である。
【図５】自動販売機の内部を示す断面側面図である。
【図６】自動販売機に適用する停止位置規定手段を概念的に示す断面側面図である。
【図７】自動販売機に適用する回転規制手段を示すもので、（ａ）は要部斜視図、（ｂ）は断面側面図である。
【図８】（ａ）乃至（ｃ）は図７に示した回転規制手段の動作を順に示す断面側面図である。
【図９】図１（ａ）におけるＡ−Ａ線断面図である。
【図１０】図９におけるＢ−Ｂ線断面図である。
【図１１】（ａ）および（ｂ）は自動販売機に適用するカード規制板を示す正面図、（ｃ）は自動販売機が搬出可能な薄板状商品のねじれ状態を示す端面図である。
【図１２】自動販売機に適用する切替表示手段の要部分解斜視図である。
【図１３】切替表示手段を示す断面側面図である。
【図１４】自動販売機に適用するマガジン部の分解斜視図である。
【図１５】自動販売機が稼働中である場合のマガジン部の状態を示す斜視図である。
【図１６】（ａ）は自動販売機が稼働中である場合のマガジン部の状態を示す断面側面図、（ｂ）はその正面図、（ｃ）はその平面図である。
【図１７】自動販売機が稼働中でない場合のマガジン部の状態を示す斜視図である。
【図１８】（ａ）は自動販売機が稼働中でない場合のマガジン部の状態を示す断面側面図、（ｂ）はその正面図、（ｃ）はその平面図である。
【図１９】自動販売機に薄板状商品を補充する状態を示す斜視図である。
【図２０】（ａ）は自動販売機の外観を示す正面図、（ｂ）は蓋体を開成した状態を示す正面図である。
【図２１】自動販売機の硬貨処理部を示す斜視図である。
【図２２】自動販売機が販売対象とするキャラクタカードの斜視図である。
【符号の説明】
１      自動販売機
１０      筐体
１１      収容部本体
１２      蓋体
１３      施錠装置
１４      硬貨投入口
１５      表示用窓孔
１５ａ    透明樹脂板
１６      商品取出用孔
１７      操作ダイヤル用孔
１８      硬貨返却用孔
１９      硬貨返却用ボタン
２０      切替表示手段
２１      ガイド板
２１ａ    スリット
２２      ストッパ突当部
２３      表示プレート
２３ａ    表示部
２３ｂ    邪魔板部
２３ｃ    ガイド部
２３ｄ    ストッパ部
２３ｅ    連係部
２４      揺動アーム
２５      アームブラケット
２６      接続軸
３０      硬貨処理部
３１      仕切板
３１ａ    適正硬貨取入口
３１ｂ    不適正硬貨取入口
３２      コインボックス
３３      硬貨返却通路
３４      硬貨返却皿
４０      硬貨取扱部
４１      硬貨導入通路
４１ａ    硬貨導入口
４２      検銭部
４２ａ    適正硬貨排出口
４２ｂ    不適正硬貨排出口
４３      適正硬貨搬送通路
４４      不適正硬貨搬送通路
５０      マガジン部
５１      マガジン
５２      商品収容域
５３      カード用錘
５３ａ    立壁
５３ｂ    ツマミ
５４      カード規制板
５４ａ    逃げ部
５４ｂ    逃げ部
５５      ストロークガイド
５５ａ    ガイド溝
５６      係合部材
５６ａ    係合部
６０      ストローク部材
６１      ストローク部本体
６１ａ    対向壁
６２      可動ストローク体
６２ａ    基部
６２ｂ    突出部
６３      押圧バネ
６４      係合体
６４ａ    係合舌片部
６４ｂ    切欠
６５      支持軸
６６      ストロークガイドネジ
１００      搬出機構部
１０１      操作軸
１０２      主軸
１０３      ドライブネジ歯車
１０４      操作ダイヤル
１０５      ドリブンネジ歯車
１０６      回転ストッパ部材
１０６ａ    ストッパ面
１０７      ドライブネジ歯車
１１０      停止位置規定手段
１１１      カムプレート
１１１ａ    凹所
１１２      カムフォロアアーム
１１３      カムスプリング
１１４      カムローラ
１２０      回転規制手段
１２１      ラチェット盤
１２２      ラチェット片
１２３      ラチェットバネ
１２４      硬貨貯留部
１２４ａ    硬貨受入口
１２５      ストッパ用突起
１２６      反転防止用突起
１３０      ギアボックス
１３１      出力軸
１３２      送出アーム
１３３      送出ローラ
１４０      ガイドシャフト
１４１      スライド部材
１４２      ガイドローラ
１４３      係合スロット
１４４      連絡部
１４４ａ    切欠
１４５      当接部
１４６      低面部
１４７      溝
１４８      ゴミ逃げ用溝
１５０      商品搬出通路
１５１      商品取出口
１５２      溝
１５３      レバー用スロット
１６０      ストッパレバー
１６１      カード検知レバー
１６１ａ    ボス部
１６１ｂ    カード検知部
１６１ｃ    作動部
１６２      復帰バネ
１７０      メカニカルカウンタ
１７１      作動ロッド
１９０      反り防止部材
２００      ユニット枠体
Ｂ      帯紙
Ｃ      キャラクタカード
【図１】
0004149099.tif 000002
【図２】
0004149099.tif 000003
【図３】
0004149099.tif 000004
【図４】
0004149099.tif 000005
【図５】
0004149099.tif 000006
【図６】
0004149099.tif 000007
【図７】
0004149099.tif 000008
【図８】
0004149099.tif 000009
【図９】
0004149099.tif 000010
【図１０】
0004149099.tif 000011
【図１１】
0004149099.tif 000012
【図１２】
0004149099.tif 000013
【図１３】
0004149099.tif 000014
【図１４】
0004149099.tif 000015
【図１５】
0004149099.tif 000016
【図１６】
0004149099.tif 000017
【図１７】
0004149099.tif 000018
【図１８】
0004149099.tif 000019
【図１９】
0004149099.tif 000020
【図２０】
0004149099.tif 000021
【図２１】
0004149099.tif 000022
【図２２】
0004149099.tif 000023